(57)【要約】【課題】空調のための設備コストや熱源機などの運転コストを低減する。【解決手段】  熱源機１と、熱源機１で温度調整された熱源水が流れる熱源水回路２と、を備える。熱源水回路２が、１台又は複数台の冷温水コイル式空調機４が接続された第１水路７と、１台又は複数台の水冷ヒートポンプ式空調機５が接続された第２水路８と、１台又は複数台の水冷ヒートポンプ式空調機５が接続された第３水路９と、を有する。熱源水回路２の上流側に第１水路７を、下流側に第２水路８及び第３水路９を、各々配置すると共に、第１水路７の出口を第２水路８の入口と第３水路９の入口に分岐接続する。【選択図】図１
2007093158.tif 000002
【特許請求の範囲】
【請求項１】
熱源機１と、この熱源機１で温度調整された熱源水が流れる熱源水回路２と、を備え、この熱源水回路２が、１台又は複数台の冷温水コイル式空調機４が接続された第１水路７と、１台又は複数台の水冷ヒートポンプ式空調機５が接続された第２水路８と、１台又は複数台の水冷ヒートポンプ式空調機５が接続された第３水路９と、を有し、前記熱源水回路２の上流側に前記第１水路７を、下流側に前記第２水路８及び前記第３水路９を、各々配置すると共に、前記第１水路７の出口を前記第２水路８の入口と前記第３水路９の入口に分岐接続したことを特徴とする大温度差水熱源空調システム。
【請求項２】
熱源水回路２の出入口の水温差が１０℃〜３０℃になるように構成した請求項１記載の大温度差水熱源空調システム。
【発明の詳細な説明】
【技術分野】
【０００１】
本発明は大温度差水熱源空調システムに関するものである。
【背景技術】
【０００２】
熱源機で温度調整された熱源水が流れる熱源水回路の水路を複数に分け、それぞれの水路に冷温水コイル式空調機を接続した空調システムでは、各水路に対して並列に熱源水を流している。
【０００３】
【特許文献１】特開平１０−２３２０００号公報
【発明の開示】
【発明が解決しようとする課題】
【０００４】
そのため熱源水が多く必要となり、熱源機や熱源水回路の配管径やポンプ容量が大きく、設備コストや熱源機などの運転コストが高くなる問題がある。
【課題を解決するための手段】
【０００５】
本発明は上記課題を解決するため、熱源機と、この熱源機で温度調整された熱源水が流れる熱源水回路と、を備え、この熱源水回路が、１台又は複数台の冷温水コイル式空調機が接続された第１水路と、１台又は複数台の水冷ヒートポンプ式空調機が接続された第２水路と、１台又は複数台の水冷ヒートポンプ式空調機が接続された第３水路と、を有し、前記熱源水回路の上流側に前記第１水路を、下流側に前記第２水路及び前記第３水路を、各々配置すると共に、前記第１水路の出口を前記第２水路の入口と前記第３水路の入口に分岐接続したことを最も主要な特徴とする。
【発明の効果】
【０００６】
請求項１の発明によれば、第１水路の出口を第２水路の入口と第３水路の入口につないで熱源水を流しているので、３つの水路に並列に熱源水を流す場合と比べて水量が１／３で済み、熱源機や熱源水回路の配管径やポンプ容量が小さくなるため、設備コストや熱源機などの運転コストを低減できる。
請求項２の発明によれば、熱源水回路の出入口の水温差が１５℃〜３０℃なので熱源機の運転効率が良くて負荷が大きくなりすぎず、省エネとなる。
【実施例】
【０００７】
図１〜図３は、本発明の大温度差水熱源空調システムの一実施例を簡略図で示しており、この大温度差水熱源空調システムは、熱源機１と、この熱源機１で温度調整された熱源水が流れる熱源水回路２と、熱源水を矢印方向に送る送水ポンプ３と、を備えている。熱源機１は、温水用のボイラーと冷水用の冷却塔又はチラーなどと図示省略の切換機構とにより熱源水を温水と冷水に切換え自在として構成する。熱源水回路２は、１台又は複数台の冷温水コイル式空調機４が接続された第１水路７と、１台又は複数台の水冷ヒートポンプ式空調機５が接続された第２水路８と、１台又は複数台の水冷ヒートポンプ式空調機５が接続された第３水路９と、を有し、熱源水回路２の上流側に第１水路７を、下流側に第２水路８及び第３水路９を、各々配置すると共に、第１水路７の出口を第２水路８の入口と第３水路９の入口に分岐接続し、第１水路７の水量に対して第２水路８の水量が１／２、第３水路９の水量も１／２となるようにし、熱源水回路２の出入口の水温差が１５℃〜３０℃になるように構成する。
【０００８】
冷温水コイル式空調機４は、ケーシング内に、熱源水が通水される冷温水コイル１０と、給気用送風機と、を備え、この冷温水コイル１０にて空調用空気を冷却又は加熱し、冷房運転と暖房運転を切換自在に行い、被空調空間に給気して空調する。冷温水コイル式空調機４にはエアハンドリングユニットやファンコイルユニットなど各種のものが適用される。
【０００９】
水冷ヒートポンプ式空調機５は、ケーシング内に、水冷ヒートポンプ１１と、給気用送風機と、を備えている。水冷ヒートポンプ１１は、循環冷媒に対して蒸発・圧縮・凝縮・膨張の工程順を繰返し、この循環冷媒と熱交換する空気や熱源水などに対して冷媒蒸発工程で吸熱を冷媒凝縮工程で放熱を各々行うもので、循環冷媒の蒸発工程と凝縮工程であって互いに異なる工程を行う空気熱交換器１３及び熱源水が通水される水熱交換器１２と、循環冷媒を圧縮する圧縮機１４と、循環冷媒を膨張させる膨張弁等の減圧機構と、空気熱交換器１３及び水熱交換器１２の蒸発工程と凝縮工程を切換えるバルブ等の切換機構と、を少なくとも備え、これらを冷媒が循環するように配管接続して成る。この水冷ヒートポンプ１１の空気熱交換器１３にて空調用空気を冷却又は加熱し、冷房運転と暖房運転を切換自在に行い、被空調空間に給気して空調する。
【００１０】
この空調システムおいて全ての空調機で冷房運転する場合、熱源水として例えば７℃の冷水を流すことにより、第１水路７では冷温水コイル式空調機４の冷温水コイル１０により熱源水が例えば７℃から１２℃へ温度上昇（水温差５℃）する。このとき第１水路７の水量に対して第２水路８の水量が１／２、第３水路９の水量も１／２となるので、空調運転により第１水路７と第２水路８と第３水路９が各々同じ熱量を必要とする場合、第１水路７の水温差に対して第２水路８の水温差が２倍で第３水路９の水温差も２倍になるため、第２水路８と第３水路９では水冷ヒートポンプ式空調機５の水熱交換器１２により熱源水が例えば１２℃から２２℃へ温度上昇（水温差１０℃）し、熱源水回路２の出入口の水温差が１５℃となる。熱源機１に戻った熱源水は温度調整され、熱源水回路２を循環する。
【００１１】
同様に暖房運転する場合は、熱源水として例えば４５℃の温水を流すことにより、第１水路７では冷温水コイル式空調機４の冷温水コイル１０により熱源水が例えば４５℃から４０℃へ温度降下（水温差５℃）し、第２水路８と第３水路９では水冷ヒートポンプ式空調機５の水熱交換器１２により熱源水が例えば４０℃から３０℃へ温度降下（水温差１０℃）し、熱源水回路２の出入口の水温差が１５℃となる。この熱源水回路２の出入口の水温差の増減、設定変更は自由であるが（例えば４０℃以下）、熱源機１の運転効率面から１５℃〜３０℃が好ましい。
【００１２】
なお、前記実施例において、水冷ヒートポンプ式空調機５と冷温水コイル式空調機４の数の増減は自由で、全ての水路に水冷ヒートポンプ式空調機５を設けたり、水路毎に設ける空調機の種類を入換えたりするも自由である。第１水路７内、第２水路８内及び第３水路９内はダイレクトレターン方式、リバースレターン方式やこれらの併用方式など各種の方式に変更自由である。
【図面の簡単な説明】
【００１３】
【図１】大温度差水熱源空調システムの全体簡略説明図である。
【図２】冷温水コイル式空調機の簡略説明図である。
【図３】水冷ヒートポンプ式空調機の簡略説明図である。
【符号の説明】
【００１４】
１    熱源機
２    熱源水回路
４    冷温水コイル式空調機
５    水冷ヒートポンプ式空調機
７    第１水路
８    第２水路
９    第３水路
【図１】
2007093158.tif 000003
【図２】
2007093158.tif 000004
【図３】
2007093158.tif 000005